(57)【要約】【課題】  トリガー式等ポンプ式液体注出容器内液体を使い切った後、その容器内へ詰替え用液体を充填することが多いが、液体粘度の違い等でポンプを作動できなくなることが生じ易い。そのようなことが生じないよう、詰替えが行い難いようすることで、詰替え時に注意を喚起できるようにした。【解決手段】  容器体１の口頸部２内面へ、内周面から複数弾性突片12を内方突出する筒状中栓11を嵌着させ、吸上げ機構から容器体内へ垂下されるシリンダあるいは吸上げパイプ等の筒状体を上記突片間に挿通させた。【選択図】  図１
2006123934.tif 000002
【特許請求の範囲】
【請求項１】
吸上げおよび吐出用のポンプ機構を備えた液体注出容器において、容器体口頸部２の内面へ、内周面から複数の弾性突片12を、各突片間に間隙をおいて各突片を垂直、あるいは傾斜させた状態で内方突出させた筒状中栓11を緊密に嵌着させ、上記ポンプ機構から容器体内へ垂下されるシリンダあるいは吸上げパイプ等の筒状体23,42 を、上記突片間に挿通させた
ことを特徴とするポンプ式液体注出容器。
【請求項２】
上記容器体口頸部２の上端部を、小外径部に形成しておき、又筒状中栓11の上端から突設した外向きフランジを介して嵌着筒13を垂下させ、該嵌着筒を上記小外径部外面へ緊密に嵌着させた
ことを特徴とする、請求項１記載のポンプ式液体注出容器。
【請求項３】
上記弾性突片12を、筒状中栓内周面からほぼ等間隔に、かつ内方突出長さを長短交互に形成した
ことを特徴とする請求項１、又は２記載のポンプ式液体注出容器。
【発明の詳細な説明】
【技術分野】
【０００１】
本発明は、トリガー式、ないし縦形のポンプ等を装着させた、主として家庭用のポンプ式液体注出容器に関する。
【背景技術】
【０００２】
上記容器のトリガー式ないし縦形のポンプは精巧に作られており、使い棄てとすることには心理的抵抗等があることから近時は容器内液体を使い切った後、液体を詰替え補充して、使用することが行われている。
【０００３】
例えば縦形ポンプの吸上げパイプ上端部へフック付き部材を付設しておき、容器体内液体を使い切ったとき、装着筒を外して縦形ポンプを引上げ、上記フックを容器体の口部へ係合させた状態でその口部から容器体内へ液体補充し、該補充後に上記縦形ポンプの装着筒を容器体口頸部外面へ螺合させるようにした液体注出容器が知られている（特許文献１）。
【特許文献１】特開２０００−２８９７６６号公報。
【発明の開示】
【発明が解決しようとする課題】
【０００４】
上記液体注出容器は各種用途、例えばシャンプーやリンス、殺虫剤、洗剤用、カビ取り用等にそれぞれ使用されており、各容器に装着されているポンプはその容器体内液体の特性に応じて仕様を変えている。例えば容器内液体が高粘度であれば、高粘度の液体噴出用に、又低粘度であれば低粘度用のポンプを各容器に装着させており、そのため例えば低粘度用ポンプ付き容器内へ高粘度液体を詰め替えすれば液体注出が不能となる。一般消費者はそのような知識を有しないためポンプ不良の苦情が生じ易く、又知識があっても不用意に上記のような液体詰替えミスを行い易い傾向があった。
【０００５】
本発明は上記のようなポンプ式液体注出容器内への液体詰替えに際して、その詰替えが行い難くなるようにすることで、注意を喚起し、もって上記液体詰替えミスを減少できるようにすることを目的とする。
【課題を解決するための手段】
【０００６】
第１の手段として、吸上げおよび吐出用のポンプ機構を備えた液体注出容器において、容器体口頸部２の内面へ、内周面から複数の弾性突片12を、各突片間に間隙をおいて各突片を垂直、あるいは傾斜させた状態で内方突出させた筒状中栓11を緊密に嵌着させ、上記ポンプ機構から容器体内へ垂下されるシリンダあるいは吸上げパイプ等の筒状体23,42 を、上記突片間に挿通させた。
【０００７】
第２の手段として、上記第１の手段を有し、かつ上記容器体口頸部２の上端部を、小外径部に形成しておき、又筒状中栓11の上端から突設した外向きフランジを介して嵌着筒13を垂下させ、該嵌着筒を上記小外径部外面へ緊密に嵌着させた。
【０００８】
第３の手段として、上記第１又は第２の手段を有し、かつ上記弾性突片12を、筒状中栓内周面からほぼ等間隔に、かつ内方突出長さを長短交互に形成した。
【発明の効果】
【０００９】
請求項１、又は２記載のようにすることで、液体注出容器購入当初の液体を使い切った後の液体詰替えの際、容器体の口頸部内へは、弾性突片付きの筒状中栓11が嵌合されていてその複数弾性突片12が容器体内への液体注入の邪魔となり、よって該邪魔が液体詰替えについての注意事項を喚起させ、液体詰替えによる既述不都合の発生を未然に防止することとなる。尚請求項２のようにすることで、筒状中栓11を容器体口頸部へより確実に嵌着させることが出来る。
【００１０】
請求項３のようにすることで、複数弾性突片12間に通して行う吸上げパイプ、ないしシリンダ42を容器体内へ垂設することが容易となる。
【発明を実施するための最良の形態】
【００１１】
まず図１と図２とが示す第１実施形態について説明すると、１は口頸部２を起立する容器体で、その口頸部は雄ねじ筒としており、又その口頸部内面は上向き段部３を介してその上方口頸部部分を大内径部2aとしており、その大内径部部分内へは、図２が示すように内周面から複数弾性突片12を内方突出する筒状中栓11を緊密に嵌合させている。その弾性突片はほぼ等間隔に、筒中心方向へ突出させるとよく、図示例では内方突出長さを、長短交互に設けている。尚長い弾性突片相互、又短かい弾性突片相互は、それぞれ同一長さとしている。又図示例において各弾性突片は、それ等の各横断面をそれぞれ垂直としており、これに対して図３が示す変形例の場合は、各横断面を、それぞれ展開図でみて同一方向へ傾斜させている。
【００１２】
弾性突片12を傾斜させた場合、上面視で隣接する弾性突片12が重なるように配置しても良い。また、弾性突片12の長さ、幅等は適宜設定でき、すべてを同一長さとしても良い。    
【００１３】
21は公知のトリガー式ポンプであり、該ポンプの基部22内からは吸上げパイプ23を垂下し、又その基部の内周部からは外向きフランジ24付き脚筒25を垂下させ、パッキングを介して外向きフランジ24を容器体口頸部２の上端面上へ載置し、かつ脚筒25下端部を、筒状中栓11の上端部を介して口頸部２の上端部内面へ嵌合させている。
【００１４】
31は上記トリガー式ポンプ21を容器体口頸部へ装着させる装着筒で、上端へ付設した内向きフランジ32を上記外向きフランジ24上へ回動可能に載置させて垂下し、装着筒を口頸部２外面へ嵌合させ、螺降させ締付けすることで、口頸部上端面と内向きフランジ32とで外向きフランジ24を挟持させてポンプ21を容器体口頸部上へ固定し、又その螺脱により装着筒31および吸上げパイプ23と共に容器体からポンプ21を取外し可能としている。
【００１５】
尚図１が示すように通常トリガー式ポンプの吸上げパイプ23は、ポンプの基部22の下端面に対してやや後方（図右方）へ偏心させて垂下されており、該吸上げパイプ23を筒状中栓11の弾性突片12間に通して容器体内へ垂下させる場合は、図が示すように各突片先端が形成する中央空間に対して後方へ位置させ、突片12を長短交互に突出させた場合は後方から前方へ突出する短かい突片の先端面へ吸上げパイプ後面を当接させるとよい。各突片を同一長さとする場合は中栓後方側から前方側へ突出する２枚の弾性突片間へ挟持させてもよい。
【００１６】
図４と図５とは、第２実施形態を示す。第１実施形態との相違部分についてだけ説明し、同一部分は同一符号を付することで説明を省略する。
【００１７】
該第２実施形態にあっては、容器体口頸部２の上端部を小外径部としており、又筒状中栓11の上端から外向きフランジを介して嵌着筒13を垂下し、該嵌着筒13を上記小外径部外面へ緊密に嵌着させている。
【００１８】
該第２実施形態の場合の筒状中栓11の弾性突片12も図２の場合と同様に、その突片の縦断面形状が垂直となるよう設けており、図２の筒状中栓を図５で斜視図により示している。各弾性突片12は図２の場合と同様、長短の弾性突片を等間隔で、かつ交互に突出させている。
【００１９】
図６は図３の場合と同様、各突片を展開状態でみて同一方向へ傾斜させたものである。
【００２０】
図７が示す第３実施形態は公知の縦形ポンプ41の容器体口頸部２内面へ、既述筒状中栓11を嵌着させた例を示す。その嵌着は図１の場合と同様に口頸部の内面に上向き段部３を設けてその上方口頸部部分を大内径とし、その上向き段部上へ筒状中栓11の下端面を載置させて大内径口頸部部分内面へ嵌着させている。
【００２１】
尚42は、上端に外向きフランジ43を有するシリンダ、44は該シリンダ内から上方付勢されて起立するステムで、該ステム上端へはノズル付き押下げヘッド45を嵌着させ、又ステム下端には筒状ピストンを有する。
【００２２】
31は装着筒で、上端の内向きフランジ32を、パッキングを介して容器体口頸部の上端面上へ載置させた、上記シリンダの外向きフランジ43上へ載置し、該装着筒を容器体口頸部外面へ螺合し、締付けすることで、そのシリンダの外向きフランジ43を容器体口頸部と装着筒の内向きフランジ32とで挟持させている。
【００２３】
そして、上記シリンダ42が筒状中栓11の弾性突片12先端が形成する中央空孔に挿入されている。尚、弾性突片12を長くして、上記シリンダ42で弾性突片12を押下げるように挿入しても良い。
【００２４】
筒状中栓11付きの容器体内へ液体を充填する場合、液体充填時にも筒状中栓11の弾性突片12が邪魔となるが、この場合は図８が示すように、各弾性突片12の弾性に抗して充填ノズル51を容器体内へ押込み、該状態で液体充填することが出来る。
【００２５】
該液体充填後、容器体１へトリガー式或いは縦形のポンプを装着させればよい。
【図面の簡単な説明】
【００２６】
【図１】本発明容器要部の一部を切欠いた側面図である。
【図２】図１容器主要部材の斜視図である。
【図３】図２主要部材の変形例を示す斜視図である。
【図４】第２実施形態で示す、容器要部の一部を切欠いて示す側面図である。
【図５】図４主要部材の斜視図である。
【図６】図５主要部材を変形例で示す斜視図である。
【図７】第３実施形態で示す、容器の縦断面図である。
【図８】容器体内への液体充填方法の説明図である。
【符号の説明】
【００２７】
１  容器体                          ２  口頸部
11  筒状中栓                        12  突片
13  嵌着筒                          21  トリガー式ポンプ
25  脚筒                            31  装着筒
41  縦形ポンプ                      42  シリンダ
45  押下げヘッド
【図１】
2006123934.tif 000003
【図２】
2006123934.tif 000004
【図３】
2006123934.tif 000005
【図４】
2006123934.tif 000006
【図５】
2006123934.tif 000007
【図６】
2006123934.tif 000008
【図７】
2006123934.tif 000009
【図８】
2006123934.tif 000010